(57)【特許請求の範囲】
【請求項１】
Ｕ字溝本体の左右の側壁の上に各々載せ置かれる受け部と、左右の該受け部の間に横架される１本もしくは複数本の架け渡し部とから構成されるところの硬質合成樹脂又は繊維強化樹脂からなる補強枠が前記Ｕ字溝本体上に備えられるＵ字溝であって、
前記補強枠は、その左右の各部分から又はその左右の両部分からＵ字溝本体の外方へとほぼ水平に延設されそして水流の勢いを弱め得る構造を有するところの硬質合成樹脂又は繊維強化樹脂からなる侵食防止部を適当なピッチで複数個更に備えてなることを特徴とするＵ字溝。
【請求項２】
全部又は一部の前記架け渡し部の左右の端部がＵ字溝本体の外方へとそれぞれ延長されて、左右の侵食防止部が該架け渡し部と一体に形成されていることを特徴とする請求項１記載のＵ字溝。
【請求項３】
前記補強枠は、左右の前記受け部と前記架け渡し部とが一体に成形されてなることを特徴とする請求項１記載のＵ字溝。
【請求項４】
前記補強枠は、左右の前記受け部と前記架け渡し部とが一体に成形されてなることを特徴とする請求項２記載のＵ字溝。
【請求項５】
前記侵食防止部は、扁平板状もしくはこれに近い形状の外形を有することを特徴とする請求項１ないし請求項４のうちいずれか１項記載のＵ字溝。
【請求項６】
前記侵食防止部は、これに堰き止められた水が前記Ｕ字溝本体の内側へと導かれる構造となっていることを特徴とする請求項１ないし請求項５のうちいずれか１項記載のＵ字溝。
【請求項７】
前記侵食防止部は、水を堰き止める面がＵ字溝の長手方向に対して斜めに形成されていることを特徴とする請求項６記載のＵ字溝。
【請求項８】
硬質合成樹脂又は繊維強化樹脂からなるＵ字溝本体の左右の側壁の上部に硬質合成樹脂又は繊維強化樹脂からなる侵食防止部材を左右片方又は両方に適当なピッチで複数個取着してなり、該侵食防止部材は、該左右の側壁の上部よりＵ字溝本体の外方へとほぼ水平に延びそして水流の勢いを弱め得る構造を有することを特徴とするＵ字溝。
【請求項９】
前記侵食防止部材は、扁平板状もしくはこれに近い形状の外形を有し、かつＵ字溝本体の左右の側壁の上部に鋲着されていることを特徴とする請求項８記載のＵ字溝。
【請求項１０】
前記侵食防止部材は、これに堰き止められた水が前記Ｕ字溝本体の内側へと導かれる構造となっていることを特徴とする請求項８又は請求項９記載のＵ字溝。
【請求項１１】
前記侵食防止部材は、水を堰き止める面がＵ字溝の長手方向に対して斜めに形成されていることを特徴とする請求項１０記載のＵ字溝。
【請求項１２】
硬質合成樹脂又は繊維強化樹脂により成形されてなることを特徴とする請求項１ないし請求項７のうちいずれか１項記載のＵ字溝。
【発明の詳細な説明】
【技術分野】
【０００１】
本発明は、一般土木用、農業用及び工業用水路及び排水路において使用されるＵ字溝において、平地又は傾斜土に埋設された後に、その周囲の土壌が水の勢いにより侵食されることが抑制され得るように改良されたＵ字溝に関する。
【背景技術】
【０００２】
Ｕ字溝は、一般道路の側溝排水路として用いられる他、山野の土木開発現場における排水路としても用いられている。したがってその設置場所もまた平坦な土地に限られず、斜面、例えば丘陵地帯や山岳地帯の斜面に及ぶ。Ｕ字溝、特に合成樹脂製のＵ字溝としては例えば、特開平１１−１９５６号公報に記載される、長手方向に凹条及び凸条が交互に形成されて波形に成形されたＵ字溝において、両側壁部の上端のそれぞれに沿って配された一対のあてがい部材と、該一対のあてがい部材の間に両側壁部の上端間を架け渡すように配され、両端部でそれぞれに一対のあてがい部材へ連結された複数の架け渡し部とから成る補強部材が固定されていることにより、左右の側壁の剛性を向上させることを目的としたＵ字溝が挙げられる。
【０００３】
【特許文献１】特開平１１−１９５６号公報
【発明の開示】
【発明が解決しようとする課題】
【０００４】
設置された後のＵ字溝で問題となるのが、雨水や湧水による土壌の侵食である。設置されたＵ字溝の周囲の土壌表面において水による侵食が経時的に進行し、Ｕ字溝の外側の土壌が徐々に削られて穴ができ、Ｕ字溝の設置が不安定なものとなる。とりわけ、丘陵地帯や山岳地帯の斜面に設置した場合に土壌侵食が著しい。
従来のＵ字溝を斜面に埋設した場合、その周囲の土壌がどのように侵食されるかを、図１３（ａ）及び（ｂ）を挙げて説明する。
図１３（ａ）は、平地の土壌に埋設された従来のＵ字溝２３の平面図を示す。雨水や上流側Ｕにて土壌表面に滲み出た湧水（水Ｗ５）は、Ｕ字溝２３の外側を上流側Ｕから下流側Ｄに向って流れる。すると、Ｕ字溝２３の外側には、水Ｗ５の勢いを和らげるものが特に存在しない為に、水Ｗ５はその勢いを保ったまま、或いはさらに勢いを増して流れて行く。結果として、図１３（ａ）のＸ−Ｘ線における断面図である図１３（ｂ）に示すように、Ｕ字溝２３の周囲の土壌が、水Ｗ５の勢いによる侵食作用によって経時的に削られてしまう（図１３（ｂ）中のｓ１部分）。このように、水Ｗ５に削られることによって侵食された後の土壌の部分（ｓ１部分）では、例えば後の降雨時に新たに生じた水Ｗ５の通り道となって、さらに侵食が広がる（ｓ２部分）。
このように、上記公報に記載されたような、単なるあてがい部材と横架材とからなる補強部材が用いられた従来のＵ字溝では、水の勢いによる埋設後の周囲の土壌の侵食を有効に抑制することが出来ず、侵食が避けられない状況にある。とりわけ、Ｕ字溝が丘陵地帯や山岳地帯の斜面に設置された場合においては、Ｕ字溝の外側には傾斜によってさらに強い勢いの水が流れるが、この勢いに十分に対抗することが出来ずに土壌の侵食がより顕著なものとなるであろう。
Ｕ字溝の周囲の土壌の侵食は、Ｕ字溝を剥き出しの状態にしてしまい、ひいてはＵ字溝の位置ずれ又は浮上、若しくは最悪の場合、Ｕ字溝周囲の土砂崩れを引き起こすことにつながる。さらには、水による土壌の侵食作用によって、Ｕ字溝の周囲の土壌に撒かれ或いは風で運ばれた植物の種子又は芽すらも一緒に流されてしまい、それによりＵ字溝の周囲は、植物が根付かない不毛の部分となることも考えられる。したがって、Ｕ字溝周囲の土壌の侵食は出来る限り抑制されることが望まれる。
【課題を解決するための手段】
【０００５】
本発明者は上記課題に鋭意取り組んだ結果、Ｕ字溝の補強枠について、Ｕ字溝本体の外方へと延設して、水流の勢いを弱め得る構造を有する侵食防止部を備えることにより改良したＵ字溝が、その左右の側壁の剛性が向上されるのはもちろんのこと、同時に、平地及び斜面に埋設された場合において、その外側近傍を流れる水の勢いを弱め、それによりＵ字溝の周囲の土壌の水による侵食を有効に抑制することが出来ることを見出し、本発明を完成させた。
すなわち、本発明は、Ｕ字溝本体の左右の側壁の上に各々載せ置かれる受け部と、左右の該受け部の間に横架される１本もしくは複数本の架け渡し部とから構成されるところの硬質合成樹脂又は繊維強化樹脂からなる補強枠、好ましくは左右の前記受け部と前記架け渡し部とがあらかじめ一体に成形されてなる補強枠が前記Ｕ字溝本体上に備えられるＵ字溝であって、前記補強枠は、その左右の各部分から又はその左右の両部分からＵ字溝本体の外方へとほぼ水平に延設されそして水流の勢いを弱め得る構造を有するところの硬質合成樹脂又は繊維強化樹脂からなる侵食防止部を適当なピッチで複数個更に備えてなることを特徴とするＵ字溝に係る。
その中で本発明の好ましい態様は、全部又は一部の前記架け渡し部の左右の端部がＵ字溝本体の外方へとそれぞれ延長されて、左右の侵食防止部が該架け渡し部と一体に形成され、好ましくはさらに、左右の受け部と架け渡し部とが一体に成形されて、侵食防止部、受け部及び架け渡し部が一体となっていることを特徴とするＵ字溝に係る。
本発明は、侵食防止部が、具体的には、扁平板状もしくはこれに近い形状の外形を有することを特徴とする上記Ｕ字溝に係る。
また本発明は好ましくは、侵食防止部は、これに堰き止められた水がＵ字溝本体の内側へと導かれる構造、例えば水を堰き止める面がＵ字溝の長手方向に対して斜めに形成されていることを特徴とする上記のＵ字溝に係る。
上記の侵食防止部は、補強枠でなく、Ｕ字溝本体に対し設けられていても、上述の課題を達することが出来る。したがって、本発明の別の態様は、硬質合成樹脂又は繊維強化樹脂からなるＵ字溝本体の左右の側壁の上部に硬質合成樹脂又は繊維強化樹脂からなる侵食防止部材を左右片方又は両方に適当なピッチで複数個取着してなり、該侵食防止部材は、該左右の側壁の上部よりＵ字溝本体の外方へとほぼ水平に延びそして水流の勢いを弱め得る構造、例えば、扁平板状もしくはこれに近い形状の外形を有する構造を有し、そして適宜Ｕ字溝本体の左右の側壁の上部に鋲着される態様であってもよいＵ字溝に係る。
その中で本発明のさらに好ましい態様は、侵食防止部材は、これに堰き止められた水が
Ｕ字溝本体の内側へと導かれる構造、例えば、水を堰き止める面がＵ字溝の長手方向に対して斜めに形成されている上記のＵ字溝に係る。
本発明は特には、種々の材質からなるＵ字溝の中でも、硬質合成樹脂又は繊維強化樹脂により成形されてなるＵ字溝に係る。
【発明の効果】
【０００６】
本発明のＵ字溝は、その補強枠が、Ｕ字溝本体の外方へと延設されそして水流の勢いを弱め得る構造を有する侵食防止部を備えてなる。その為に、本発明のＵ字溝は、埋設された後において、Ｕ字溝の外側の土壌の表層を流れる水、例えば雨水等が侵食防止部の主に側面に当ることによりその水の勢いが弱められ、もって、周囲の土壌の侵食を有効に抑制し得るという効果を奏する。かかる効果によって、Ｕ字溝周囲の土壌が安定する為に、植物が根付き易くなり、繁茂することもまた容易となる。そしてＵ字溝周囲に繁茂した植物群は、そこを流れる水流の勢いを弱め、もって周囲の土壌の侵食を抑制するという相乗的な効果をももたらす。さらにその上に、補強枠は、Ｕ字溝本体の左右の側壁の上に各々載せ置かれる受け部と、左右の該受け部の間に横架される１本もしくは複数本の架け渡し部とから構成される。つまり、補強枠を構成する架け渡し部は、補強枠が左右の側壁の上に載せ置かれた時に、左右の側壁の上端の間で左右の受け部を支持する状態となることにより、Ｕ字溝の外方より内方へと作用する土圧荷重の影響による側壁の局部変形が防止されるという効果をも与えられる。また補強枠は、好ましくは左右の受け部と架け渡し部とが
一体に成形されるが、この場合、補強枠の組立作業の効率を上げることが可能である。
また本発明のＵ字溝において、製造上、従来どおりの成形法を利用することが出来るという観点より、全部又は一部の架け渡し部の左右の端部がＵ字溝本体の外方へとそれぞれ延長されて、左右の侵食防止部が該架け渡し部と一体に形成されていてもよい。さらに、左右の受け部と、侵食防止部と共に一体成形された架け渡し部とがさらに一体に成形される態様は特に好ましく、この場合、受け部と架け渡し部を互いに取り付ける作業を省略出来る為に、作業効率がさらに高まる。
また、侵食防止部の形状を、比較的成形し易い扁平板状もしくは翼状等の外形を有するものとすれば、特に複雑な型枠を必要とすることもなく、例えば受け部や架け渡し部の従来の成形法をそのまま利用して成形し、或いは必要に応じて若干加工するだけで容易に形成させることが出来るなど、生産面において有利である。
さらに、本発明のＵ字溝の侵食防止部は、好ましくは、これに堰き止められた水がＵ字溝本体の内側へと導かれる構造を有する。その為、Ｕ字溝の周囲の土壌の侵食の原因となる水そのものを周囲の土壌からＵ字溝本体の内側に導いて排水することが出来る。特に好ましくは、侵食防止部は、水を堰き止める面がＵ字溝の長手方向に対して斜めに形成されていることである。それにより、Ｕ字溝の外側を流れる水が侵食防止部に差し掛かると、水を堰き止める面の向きに沿ってＵ字溝本体の内側へと導かれ、より効果的に排水され得る。
本発明はまた、別の態様として、Ｕ字溝本体の左右の側壁の上部に侵食防止部材を左右片方又は両方に取着してなり、該侵食防止部材は、該左右の側壁の上部よりＵ字溝本体の外方へと延びそして水流の勢いを弱め得る構造を有することを特徴とするＵ字溝に関する。かかる態様においては、その侵食防止部材が成形し易い扁平板状もしくは翼状等の外形を有する構造と為すことが出来る為に生産面において有利であり、そして適宜Ｕ字溝本体の左右の側壁の上部に鋲着されることが出来る。
上記の侵食防止部材も侵食防止部と同様に、好ましくは、これに堰き止められた水がＵ字溝本体の内側へと導かれる構造を有する。特に好ましくは、侵食防止部材は、水を堰き止める面がＵ字溝の長手方向に対して斜めに形成されていることである。それにより、Ｕ字溝の外側を流れる水が前記侵食防止部材を通る時、水を堰き止める面に沿ってＵ字溝本体の内側へと導かれ、より効果的に排水され得る。
その他に、本発明のＵ字溝は、硬質合成樹脂又は繊維強化樹脂により成形されてなることにより、腐食の問題が起きないだけでなく、コンクリート製のＵ字溝と比較して軽量であり、その為に取扱い易く、かつ運搬効率が良好であるという利点をも併せ持つ。
【発明を実施するための最良の形態】
【０００７】
本発明に係るＵ字溝は、その周囲の土壌の表層を流れ下る雨水及び湧水、又はＵ字溝本体の内側から外側へと飛散した水を、Ｕ字溝本体の上部に形成された侵食防止部又は侵食防止部材の主として側面に衝突させて、その勢いを緩衝して弱めるというものである。まずは、侵食防止部又は侵食防止部材が形成されてなる本発明に係るＵ字溝の構造について説明する。
【０００８】
本発明のＵ字溝において、その侵食防止部又は侵食防止部材は、水が衝突し、そしてその勢いが効果的に弱められるようにある程度の厚さを有し、そして通常は、一の補強枠又はＵ字溝本体に対して複数個形成される。侵食防止部又は侵食防止部材の水を堰き止める面の大きさ、侵食防止部又は侵食防止部材の数及び侵食防止部又は侵食防止部材が形成されるピッチ、つまり、一の侵食防止部又は侵食防止部材と、隣の侵食防止部又は侵食防止部材との間隔は、水の勢いを弱めるという効果が維持されるように、流れる水量及びＵ字溝が埋設される傾斜角度等、埋設される地域の環境条件に合わせて適宜設定される。例えば、降水量が多い、又は傾斜角度が大きい地域に埋設される場合においては、流れる水の勢いをより効果的に弱めるべく、侵食防止部又は侵食防止部材の水を堰き止める面はより大きく、数はより多く、又はピッチはより短く設定されることが望ましい。
侵食防止部又は侵食防止部材の長さ、つまり受け部又はＵ字溝本体の側壁より外方に向って侵食防止部又は侵食防止部材が延設される長さもまた、Ｕ字溝が埋設される地域の状況に応じて適宜設定される。例えば、降水量が特に多い地域等に埋設される場合には、Ｕ字溝の外側を流れる水量が多いことが予測される。この場合、これら多量の水の勢いを効果的に抑制する為には、侵食防止部又は侵食防止部材の長さを長く設定することが望ましい。
補強枠の左右に設けられるそれぞれの侵食防止部は、Ｕ字溝の長手方向に対して互いに対称の位置となるように形成されている必要はない。例えば、図１に示すように、左及び右の受け部１’、１”に対して横架された３つの架け渡し部２’、２”、２”’が、受け部１’、１”と一体成形されて構成された補強枠３において、架け渡し部２’については左右の端部４’の両方が延長されて侵食防止部５’が形成され、架け渡し部２”については右の端部４”のみが延長されて侵食防止部５”が形成され、そして、架け渡し部２”’については左の端部４”’のみが延長されて侵食防止部５”’が形成された態様が挙げられる。また、図２に示すように、架け渡し部２’、及び架け渡し部２”’においては、その左右の端部４’及び４”’両方に侵食防止部５’及び５”’がそれぞれ形成され、そして、架け渡し部２”においては、左右の端部４”の両方共に侵食防止部が形成されていないという態様をとることも考えられる。
受け部と架け渡し部が別体である場合において、受け部は、一つ以上の架け渡し部を横架し、そしてさらにＵ字溝本体の側壁の上に載せ置かれ得るものであれば、その形状は特に問われず、例えば平板状、断面略Ｌ字形状、断面略Ｔ字形状等のものが挙げられる。用いられる架け渡し部もまたその形状が制限されないが、例えば、平板状の他、断面略Ｌ字形状、断面略Ｔ字形状等のものが使用され、既存の角アングル材などもまた使用され得る。受け部、架け渡し部及び侵食防止部は、任意の組み合せで互いに一体成形されるか或いは各々が別体としてリベット等により鋲着されてもよい。例えば、受け部と架け渡し部が一体成形されて侵食防止部がそれに対して別体である態様であってもよい。
【０００９】
埋設後において、周囲の土壌の圧力により左右の側壁が局部変形を引き起こすおそれが低い場合等では、上述したような補強枠を使用せずに、Ｕ字溝本体の左右の側壁の上部において、侵食防止部材を左右それぞれに取着してなる構造をとる本発明の別の態様のＵ字溝を利用することも出来る。
侵食防止部材もまた、上述した侵食防止部のように、Ｕ字溝本体の左右の側壁の上部において、Ｕ字溝の長手方向に対して互いに対称の位置となるように形成されている必要はない。
侵食防止部材は、Ｕ字溝本体の側壁の上部、特に側壁の上端にリベットを通す孔を穿設し、この孔に侵食防止部材をリベット等を用いて容易に鋲着されることが出来る。
【００１０】
本発明に係るＵ字溝本体の形状に特に制限はなく、例えば側壁及び底壁が平坦構造のものや、又は凹凸形状が長手方向に交互に繰り返された波形構造のもの等が挙げられる。かかるＵ字溝本体の材質としては、合成樹脂、例えばポリエチレン、ポリ塩化ビニル、ポリプロピレン、ポリエチレンテレフタレート、ポリアミド等の硬質合成樹脂が挙げられ、また不飽和ポリエステル等にガラス繊維、炭素繊維、有機繊維などを含有させた繊維強化樹脂ももちろん使用され得る。受け部、架け渡し部、侵食防止部及び侵食防止部材の材質もまた、前述の同様の合成樹脂が使用され得る。
【００１１】
次に、本発明のＵ字溝周辺の土壌の表層を流れ下る水の勢いが弱められる原理について、図３及び図４に示す本発明のＵ字溝６を挙げて説明する。
Ｕ字溝６は、Ｕ字溝本体７の左右の側壁８の上端９に形成された平坦なフランジ部１０上において、補強枠３が備えられている。補強枠３は、上述した図１に示す補強枠３と同様に、受け部１’、１”に対して横架された３つの架け渡し部２’、２”、２”’が、受け部１’、１”と一体成形された構成である。そして図５に示すように、補強枠３を構成する架け渡し部２’、２”、２”’の左右の端部の両方において、架け渡し部２’、２”
、２”’のそれぞれと一体となり、さらにＵ字溝本体７の外方へと延長されることにより、扁平板状の侵食防止部５’、５”、５”’が形成されている。なお、補強枠３は、フランジ部１０上でリベット１１により鋲着されて取り付けられている。本発明のＵ字溝６を埋設した場合において、図４に示すように、水Ｗ１がＵ字溝６周辺の土壌の表層を上流側Ｕから下流側Ｄに向って流れ下ってきたとする。しかし、水Ｗ１は、侵食防止部５’、５”、５”’の主として側面に次々とぶつかることにより徐々にその勢いが弱められ、結果として、流水Ｗ１は、そのＵ字溝６の周囲の土壌を削り取って侵食し得る勢いを大きく抑制されるのである。
【００１２】
続いて、侵食防止部のうち、これに堰き止められた水がＵ字溝本体の内側へと導かれる態様について、図６及び図７に示すＵ字溝１２を挙げて説明する。Ｕ字溝１２は、その補強枠３に備えられた侵食防止部１３’、１３”、１３”’の他は、前述したＵ字溝６と同様の構造を有するものである。図８においても示すように、侵食防止部１３’、１３”、１３”’はそれぞれ、架け渡し部２’、２”、２”’と一体であり、扁平板状ではあるが、水を堰き止める側面がＵ字溝１２の長手方向に対して斜め方向に形成されている。本発明のＵ字溝１２を埋設した場合において、Ｕ字溝１２の外側の土壌の上を、水Ｗ２が上流側Ｕから下流側Ｄに向って流れ下って来たとする。しかし水Ｗ２は、侵食防止部１３’、１３”、１３”’の側面の向きに沿ってＵ字溝本体７の内側へと導かれ、その結果、効果的に排水されるのである。
【００１３】
次に、本発明の他の態様であるＵ字溝本体の左右の側壁の上部に侵食防止部材を左右それぞれに取着してなるＵ字溝について、図９及び図１０に示すＵ字溝１４を挙げて説明する。
Ｕ字溝１４は、図３及び図４に示すＵ字溝６から補強枠３を取り除いた構成であり、Ｕ字溝本体７の左右のフランジ部１０上において、６つの侵食防止部材１５が、Ｕ字溝本体７の長手方向に対して直接にリベット１１で鋲着されてなる。かかる侵食防止部材１５が形成された本発明のＵ字溝１４もまた、上述したＵ字溝６の侵食防止部５’、５”、５”’と同様に、上流側Ｕから下流側Ｄへと流れる水Ｗ３が侵食防止部材１５の側面に次々とぶつかることでその勢いを弱めることが出来る。
【００１４】
侵食防止部材が用いられた本発明のＵ字溝のより好ましい構造は、侵食防止部材が、これに堰き止められた水がＵ字溝本体の内側へと導かれる構造、特に、水を堰き止める面がＵ字溝の長手方向に対して斜めに形成されている構造を有するものである。かかる本発明のＵ字溝の一態様として、図１１及び図１２に示すＵ字溝１６を挙げることが出来る。
Ｕ字溝１６は、図６及び図７に示すＵ字溝１２から補強枠３を取り除いた構成であり、侵食防止部材１７が６つ、Ｕ字溝本体７の長手方向に対して、斜めとなるように、直接にリベット１１で鋲着されてなる。かかるＵ字溝１６もまた、上述したＵ字溝１２と同様に、上流側Ｕから下流側Ｄへと流れる水Ｗ４を、侵食防止部材１７の側面、つまり水を堰き止める面に沿ってＵ字溝本体７の内側へと導き、効果的に排水することが出来る。
【実施例】
【００１５】
本発明を実施例を挙げてさらに具体的に説明する。以下の実施例はいかなる場合も本発明を限定するものと解釈してはならない。
【００１６】
（実施例１）
本実施例においては、図３及び図４に示す本発明のＵ字溝６を使用した。断面略Ｌ字形状である左右の受け部１’、１”と架け渡し部２’、２”、２”’からなる補強枠３、及び侵食防止部５’、５”、５”’、並びにＵ字溝本体７は、すべてポリエチレンからなる。Ｕ字溝本体７は、その底壁１８から左右の側壁８の上部へと延びる凹条部１９及び凸条部２０が、長手方向に交互に連続形成されて波形構造に成形され、その側壁８にはＵ字溝
６の浮上を防止する為の膨出部２１、及び側壁８の上部を補強する為のリブ部２２が形成された構造のものを用意した。
侵食防止部５’、５”、５”’及びＵ字溝本体７の寸法を下記に示す。
侵食防止部５’、５”、５”’の寸法（すべて共通）
幅：６０ｍｍ、長さ：２００ｍｍ
Ｕ字溝本体７の寸法
底壁１８の幅：６００ｍｍ
側壁８の上端９までの高さ：６５０ｍｍ
長手方向の長さ：１１８０ｍｍ
次に、土を用いて高さおよそ５ｍの人工の山を築き、その山の斜面（傾斜角およそ１０°）に、長手方向が山頂から麓に向うように本発明のＵ字溝６を複数連結して並べ埋設した。次に、該人工の山の山頂から麓の方向へと、侵食防止部５’、５”、５”’に向っておよそ１０リットル／分で、図４に示す水Ｗ１を連続して流しながら、Ｕ字溝６の周囲の土壌を観察した。その結果、水Ｗ１は、侵食防止部５’、５”、５”’を通ると、その勢いが弱まることが観察され、水を流し始めて２４時間後においても、Ｕ字溝６の侵食防止部５’、５”、５”’近傍の土壌及び下側の土壌には水Ｗ１による目立った侵食は見られなかった。
【００１７】
（実施例２）
本実施例においては、図６及び図７に示すＵ字溝１２を使用した。なお、Ｕ字溝１２の構造のうち、侵食防止部１３’、１３”、１３”’の他は、実施例１におけるＵ字溝６と同様の構造である。
侵食防止部１３’、１３”、１３”’の寸法を下記に示す。
侵食防止部１３’、１３”、１３”’の寸法（すべて共通）
幅：６０ｍｍ、長さ：２００ｍｍ
次に、実施例１と同様に人工の山を築き、そしてＵ字溝１２を連結して並べ埋設した後、該人工の山の山頂から麓の方向へと、侵食防止部１３’、１３”、１３”’に向っておよそ１０リットル／分で、図７に示す水Ｗ２を連続して流し、Ｕ字溝１２の周辺の土壌を観察した。その結果、水Ｗ２は、侵食防止部１３’、１３”、１３”’を通るとその側面に堰き止められ、なおかつ、該側面に沿って、Ｕ字溝本体７の内側へと効果的に導かれることが観察された。また水を流し始めて２４時間後においても、Ｕ字溝１２の侵食防止部１３’、１３”、１３”’近傍の土壌及び下側の土壌には水Ｗ２による目立った侵食は見られなかった。
【００１８】
（実施例３）
本実施例においては、侵食防止部材１５が取り付けられてなる、図９及び図１０に示す本発明のＵ字溝１４を使用した。侵食防止部材１５はポリエチレンからなり、侵食防止部材１５は、リベット１１によって、Ｕ字溝本体７の上端９に形成されたフランジ部１０に鋲着されている。なお、本実施例におけるＵ字溝本体７は、実施例１で用いられたものと同様のものである。
侵食防止部材１５の寸法を下記に示す。
侵食防止部材１５の寸法    幅：６０ｍｍ、長さ：２００ｍｍ
次に、実施例１と同様に人工の山を築き、そしてＵ字溝１４を連結して並べ埋設した後、該人工の山の山頂から麓の方向へと、侵食防止部材１５に向っておよそ１０リットル／
分で、図１０に示す水Ｗ３を連続して流し、Ｕ字溝１４の周辺の土壌を観察した。その結果、水Ｗ３は、侵食防止部材１５を通る時にその側面において堰き止められ、なおかつ、該側面に沿って、Ｕ字溝本体７の内側へと効果的に排出されることが観察された。また水を流し始めて２４時間後においても、Ｕ字溝１４の侵食防止部材１５近傍の土壌及び下側の土壌には水Ｗ３による目立った侵食は見られなかった。
【００１９】
（実施例４）
本実施例においては、図１１及び図１２に示すＵ字溝１６を使用した。なお、Ｕ字溝１６の構造のうち、侵食防止部材１７の他は、実施例３におけるＵ字溝１４と同様の構造である。
侵食防止部材１７の寸法を下記に示す。
侵食防止部材１７の寸法      幅：６０ｍｍ、長さ：２５０ｍｍ
次に、実施例１と同様に人工の山を築き、そしてＵ字溝１６を連結して並べ埋設した後、該人工の山の山頂から麓の方向へと、侵食防止部材１７に向っておよそ１０リットル／分で、図１２に示す水Ｗ４を連続して流し、Ｕ字溝１６の周辺の土壌を観察した。その結果、水Ｗ４は、侵食防止部材１７の側面に堰き止められ、さらにその側面に沿って、Ｕ字溝本体７の内側へと効果的に排出されることが観察された。また水を流し始めて２４時間後においても、Ｕ字溝１６の侵食防止部材１７近傍の土壌及び下側の土壌には水Ｗ４による目立った侵食は見られなかった。
【図面の簡単な説明】
【００２０】
【図１】補強枠３に対して形成される侵食防止部の一態様を示した斜視図である。
【図２】補強枠３に対して形成される侵食防止部の別態様を示した斜視図である。
【図３】本発明の一態様であるＵ字溝６の斜視図である。
【図４】本発明の一態様であるＵ字溝６の平面図である。
【図５】侵食防止部５が備えられた補強枠３の斜視図である。
【図６】本発明の一態様であるＵ字溝１２の斜視図である。
【図７】本発明の一態様であるＵ字溝１２の平面図である。
【図８】侵食防止部１３が備えられた補強枠３の斜視図である。
【図９】本発明の一態様であるＵ字溝１４の斜視図である。
【図１０】本発明の一態様であるＵ字溝１４の平面図である。
【図１１】本発明の一態様であるＵ字溝１６の斜視図である。
【図１２】本発明の一態様であるＵ字溝１６の平面図である。
【図１３】（ａ）は従来のＵ字溝２３の平面図であり、（ｂ）は（ａ）のＸ−Ｘ線における断面図である。
【符号の説明】
【００２１】
１  受け部    ２’、２”、２”’  架け渡し部    ３  補強枠
４’、４”、４”’  端部    ５’、５”、５”’、１３’、１３”、１３”’  侵食防止部
６、１２、１４、１６  本発明のＵ字溝    ７  Ｕ字溝本体    ８  側壁    ９  上端１０  フランジ部    １１  リベット    １５、１７  侵食防止部材    １８  底壁
１９  凹条部    ２０  凸条部    ２１  膨出部    ２２  リブ部
２３  従来のＵ字溝
【要約】      （修正有）【課題】平地並びに斜面に埋設された場合においても、Ｕ字溝の外側の流水の勢いを弱め、それによりＵ字溝の周囲の土壌の水の勢いによる侵食を有効に抑制し得るＵ字溝を提供する。【解決手段】Ｕ字溝本体７の左右の側壁の上に各々載せ置かれる受け部と、左右の該受け部の間に横架される１本もしくは複数本の架け渡し部とから構成されるところの補強枠３が前記Ｕ字溝本体上に備えられるＵ字溝６であって、補強枠３は、その左右の各部分から又はその左右の両部分からＵ字溝本体の外方へと延設されそして水流の勢いを弱め得る侵食防止部５’を備えている。【選択図】図３【図１】
0003622183.tif 000002
【図２】
0003622183.tif 000003
【図３】
0003622183.tif 000004
【図４】
0003622183.tif 000005
【図５】
0003622183.tif 000006
【図６】
0003622183.tif 000007
【図７】
0003622183.tif 000008
【図８】
0003622183.tif 000009
【図９】
0003622183.tif 000010
【図１０】
0003622183.tif 000011
【図１１】
0003622183.tif 000012
【図１２】
0003622183.tif 000013
【図１３】
0003622183.tif 000014